(57)【特許請求の範囲】
【請求項１】
−  それぞれ通信網のセルに結びつけられた複数の基地局（ＢＴＳ）に通じている固定通信手段（ＭＳＣ、ＢＳＣ）を含むセル型電気通信網内でセルをテストするための方法において、
−  通信網内の試験用移動局（ＴＭＳ）の設置及び固定通信手段（ＭＳＣ、ＢＳＣ）に対する端末手段（ＳＥ）のリンク、
ならびに
−  端末手段（ＳＥ）と試験用移動局（ＴＭＳ）の間で端末手段によって要請された第１の通信を樹立する段階（ＥＳ１、ＥＭ１）、
−  第１の通信が樹立された場合に、試験用移動局（ＴＭＳ）に向かって端末手段（ＳＥ）から第１のパラメータ（ＳＱ１）を伝送する段階（ＥＳ４、ＥＭ５）、
−  試験用移動局の中で第１のパラメータ（ＳＱ１）が受理された場合に、移動局（ＴＭＳ）による第１の通信を遮断する段階（ＥＭ１０、ＥＳ８）、
−  第１の通信の遮断の後にテストすべきセルを通して試験用移動局（ＴＭＳ）と端末手段（ＳＥ）の間で試験用移動局により要請された第２の通信を樹立する段階（ＥＭ１１、ＥＳ１２）、
−  第２の通信が樹立された場合に、端末手段（ＳＥ）に向かって移動局（ＴＭＳ）から第２のパラメータ（ＳＱ２）を発出する段階（ＥＭ１４、ＥＳ１６）、及び
−  第２のパラメータが端末手段（ＳＥ）内で受理された場合に、第２の通信を遮断する段階（ＥＳ２０、ＥＭ１７）、
を特徴とする方法。
【請求項２】
−  第１の通信が樹立されない（Ｉ１）、
−  第１のパラメータ（ＳＱ１）の伝送（ＥＳ４）の後にセットされた第１のタイムアウト（ｔｓ１）の満了（ＴＳ１）の後に第１の通信が遮断されない（Ｉ２）、
−  第１の通信の遮断（ＥＳ８）の後にセットされた第２のタイムアウト（ｔｓ２）の満了（ＴＳ２）の後に第２の通信が樹立されない（Ｉ３）、
−  第２の通信の樹立（ＥＳ１２）の後にセットされた第３のタイムアウト（ｔｓ３）の満了（ＴＳ３）の後に第２のパラメータ（ＳＱ２）が受理されない（Ｉ４）、及び
−  端末手段（ＳＥ）内で受理された第２のパラメータ（ＳＱ２）の中にエラーが存在する（Ｉ５、Ｉ６）：といったトラブルのうちの少なくとも１つを端末手段（ＳＥ）が検出したことに応えて、端末手段（ＳＥ）により進行中の通信が停止される段階（ＥＳ０、ＥＳ７１、ＥＳ１１０、ＥＳ１７１、ＥＳ１８１）を含んで成る、請求項１に記載の方法。
【請求項３】
端末手段（ＳＥ）により受理された第２のパラメータ（ＳＱ２）の中に検出されたエラーが、
−  第２のパラメータ（ＮＣ、ＮＯ）のうちの１つを表すディジットの数が正しくない、
−  第２のパラメータ（ＮＣ、ＮＯ）のうちの１つに先行するか又は後続するディジット（ＤＥ２、ＤＣ、ＦＩ２）が間違っている、及び
−  第２のパラメータ（ＮＣ、ＮＯ）のうちの１つが間違っている、
というエラー（Ｉ５、Ｉ６）のうちの１つである、請求項２に記載の方法。
【請求項４】
端末手段（ＳＥ）が、前記テストすべきセルを周期的にテストするため請求項１に記載の段階を循環的に実行し、トラブル（Ｉ１〜Ｉ６）を累加し、１つのトラブルの累加が予め定められた１期間中に予め定められた数を超えた時点で警報を発する、請求項２又は３に記載の方法。
【請求項５】
−  第１の通信の樹立後試験用移動局によってセットされた予め定められたタイムアウト（ｔｍ１）の満了（ＴＭ１）後に第１のパラメータ（ＳＱ１）が受理されない、及び
−  試験用移動局の中で受理された第１のパラメータ（ＳＱ１）のうちの１つにエラーが存在する：といった事象（ＥＭ４０；ＥＭ６０）のうちの１つに応答して、試験用移動局（ＴＭＳ）により第１の通信が遮断される段階を含んで成る、請求項１〜４のいずれか１項に記載の方法。
【請求項６】
−  試験用移動局（ＴＭＳ）による第２のパラメータ（ＳＱ２）の発出の前に第２の通信が早めに停止される、及び
−  第２のパラメータ（ＳＱ２）の発出後に試験用移動局によりセットされる予め定められたタイムアウト（ｔｍ３）が満了する（ＴＭ３）、といった事象（ＥＭ１３０；ＥＭ１７１）のうちの１つに応答して試験用移動局（ＴＭＳ）による第２の通信が遮断される段階を含んで成る、請求項１〜５のいずれか１項に記載の方法。
【請求項７】
試験用移動局（ＴＭＳ）によって適正に受理された第１のパラメータ（ＳＱ１）のうちの少なくとも１つ（Ｄ１〜Ｄ５；Ｄ１８〜Ｄ２２）が試験用移動局（ＴＭＳ）によって発出された第２のパラメータ（ＳＱ２）のうちの１つ（ｄ１〜ｄ５；ｄ１８〜ｄ２２）である、請求項１〜６のいずれか１項に記載の方法。
【請求項８】
−  第１のパラメータ（ＳＱ１）が、テストすべきセルの番号（Ｄ１〜Ｄ５）、端末手段（ＳＥ）の電話呼出番号（Ｄ６〜Ｄ１５）、端末手段（ＳＥ）を識別する予め定められた番号（Ｄ１８、Ｄ１９）及び前記第１の通信を識別する番号（Ｄ２０、Ｄ２１、Ｄ２２）のうちの少なくとも１つを含んでおり、
−  第２のパラメータ（ＳＱ２）が、前記テストすべきセルの番号（Ｄ１〜Ｄ５）、端末手段（ＳＥ）を識別する予め定められた番号（ｄ１８、ｄ１９）及び前記第１の通信を識別する番号（ｄ２０、ｄ２１、ｄ２２）のうちの少なくとも１つを含んでいる、請求項１〜７のいずれか１項に記載の方法。
【請求項９】
第１のパラメータは、多周波（ＤＴＭＦ）符号で表されたディジットシーケンス（ＳＱ１）の形で端末手段（ＳＥ）によって伝送され、第２のパラメータは、多周波（ＤＴＭＦ）符号で表されたディジットシーケンス（ＳＱ２）の形で試験用移動局（ＴＭＳ）によって発出される、請求項１〜８のいずれか１項に記載の方法。
【請求項１０】
端末手段（ＳＥ）が、固定通信手段（ＭＳＣ、ＢＳＣ）に対して、切り換え式電話網（ＲＴＣ）を通して接続されている、請求項１〜９のいずれか１項に記載の方法。
【請求項１１】
端末手段（ＳＥ）が、セル型電気通信網の中の予め定められたテストすべきセルについて請求項１に記載の前記段階を循環的に実行する、請求項１〜１０のいずれか１項に記載の方法。
【発明の詳細な説明】
【０００１】
【発明の属する技術分野】
本発明は、特に、セル型電気通信網内の少なくとも１つのセルに通じる固定通信手段内で機能上の欠陥を検出するための、このセルの試験に関する。
【０００２】
【従来の技術】
セル型電気通信システムは、一方では移動局、他方では固定通信手段を有する。固定通信手段は、さらに、通信網のセル内に分散された移動局とデジタル情報を交換するため無線通信路が各々割り当てられている固定無線基地局を含んでいる。少なくとも１本の通報用無線通信路が、切り換え型電話網を通して固定通信手段に接続されている電話端末と移動局の間の通信を樹立し又遮断するためのプロトコル通報信号を支持している。固定通信手段には同様に、移動局により要請される及び移動局に宛てられた通信を切り換え、通信網内で移動局を位置決定しかつセル型電気通信網内の呼量を管理する目的で、制御器、交換局、位置決定用記録装置及びデジタル情報及び電話信号の伝送媒体を含んでいる。
【０００３】
上述のもののようなセル型電気通信網の中では、一定の与えられたセル内での通信の送受信に直接関連する手段の機能不良は、セル型通信網の中に含まれる監視及び維持手段によって検出されない。例えば、一定の与えられたセル内の移動局との通信中に介入する不規則性は通報されない。より一般的に言うと、現在、発信又は着信の樹立又は対話段階又はその解放中の不慮の停止又は遮断をことごとく検出するための監視手段は全て具備されていない。
【０００４】
【発明が解決しようとする課題】
本発明は、通信網中の正常な呼量を維持しながら、セル型電気通信網中のセルをテストしてこのセルに結びつけられた固定基地局を通して通過する１回の通信の間のトラブルを検出することを目的としている。
【０００５】
【課題を解決するための手段】
この目的のため、それぞれ通信網のセルに結びつけられた複数の基地局にサービス提供する固定通信手段を含むセル型電気通信網内でセルをテストするための方法は、
−  通信網内の試験用移動局の設置及び固定通信手段に対する端末手段のリンク、
ならびに、
−  端末手段と試験用移動局の間で端末手段によって要請された第１の通信を樹立する段階；
−  第１の通信が樹立された場合に、試験用移動局に向かって端末手段から第１のパラメータを伝送する段階、
−  試験用移動局の中で第１のパラメータが受理された場合に、移動局による第１の通信を遮断する段階、
−  第１の通信の遮断の後にテストすべきセルを通して試験用移動局と端末手段の間で移動局により要請された第２の通信を樹立する段階；
−  第２の通信が樹立された場合に、端末手段に向かって移動局から第２のパラメータを発出する段階；及び
−  第２のパラメータが端末手段内で受理された場合に、第２の通信を遮断する段階、を特徴とする。
【０００６】
本発明に従うと、テストすべきセルの良好な作動は、上述の全ての段階がトラブルなく首尾よく実施された時点で、端末手段によって確認される。簡単に言うと、テストすべきセルは、テストすべきセルの中に置かれた試験用移動局が、端末手段によって要請された第１の通信の遮断に応答して第２の通信を正常に樹立及び遮断した時点で、良好な作動状態にあるとみなされる。
【０００７】
反対に、テストすべきセル内での送信及び／又は受信に関係する電子手段が故障している場合、上述の段階のうちの１つが実施されないか又は部分的にしか実施されず、この１段階に後続するその他の段階は決して実施されない。本発明に従うと、端末手段は、故障した電子手段が途中で介入する進行中の通信すなわち第１又は第２の通信を、以下のトラブルのうちの少なくとも１つに応答して停止又は遮断する：
−  第１の通信が樹立されない、
−  第１のパラメータの伝送後にセットされた第１のタイムアウトの満了の後に第１の通信が遮断されない、
−  第１の通信の遮断の後にセットされた第２のタイムアウトの満了の後に第２の通信が樹立されない、
−  第２の通信の樹立の後にセットされた第３のタイムアウトの満了の後に第２のパラメータが受理されない、
−  端末手段内で受理された第２のパラメータの中にエラーが存在する。
【０００８】
端末手段により受理された第２のパラメータの中で検出されるエラーは、以下のエラーのうちの１つであると考えられる：
−  第２のパラメータのうちの１つを表すディジットの数が正しくない、
−  第２のパラメータのうちの１つに先行するか又は後続するディジットが間違っている、
−  第２のパラメータのうちの１つが間違っている。
【０００９】
好ましくは、端末手段は、前記テストすべきセルを周期的にテストするため上述の前記段階を循環的に実行し、トラブルを累加し、１つのトラブルの累加が予め定められた期間中に予め定められた数を超えた時点で警報を発する。予め定められた数及び予め定められた期間は、メンテナンスチームの介入を必要としない一瞬のトラブルを通報しないような形でテストすべきセル内の呼量の故障の統計に応じて、予め選択される。
【００１０】
試験用移動局は同様に、第１の通信の間でも第２の通信の間でも、テストすべきセル内の通信の送信及び／又は受信に関係する電子手段の故障の検出にも参与する。
【００１１】
本発明に従うと、試験用移動局は、特に以下の事象の１つに応えて第１の通信を遮断する：
−  第１の通信の樹立後試験用移動局によってセットされた予め定められたタイムアウトの満了の後に第１のパラメータが受理されない、及び
−  試験用移動局の中で受理された第１のパラメータのうちの１つの中にエラーが存在する。
【００１２】
同様に、本発明に従うと、試験用移動局は、特に以下の事象のうちの１つに応答して、第２の通信を遮断する：
−  試験用移動局による第２のパラメータの発出の前に第２の通信が早めに停止される、及び
−  第２のパラメータの発出後に試験用移動局によりセットされる予め定められたタイムアウトが満了する。
【００１３】
試験用移動局により適正に受理された第１のパラメータのうちの少なくとも１つは、試験用移動局により発出される第２のパラメータのうちの１つであり得る。かくして端末手段は、試験用移動局に向かって及びこの移動局からの、特に試験用移動局とテストされるセルに結びつけられた基地局の間の無線通信路を通しての正しいデータ伝送を、第２の通信の対話段階中に試験用移動局が再度伝送した第１のパラメータと第１の通信の対話中に端末手段によって当初伝送された第１のパラメータを比較することによって、確認することができる。
【００１４】
端末手段によって伝送される第１のパラメータは、試験用移動局に対して、特に第２の通信を樹立すべきテスト対象のセル、及び第２の通信のために呼ぶべき被呼者つまり端末手段、ならびに任意には実施すべき試験、を特定するのに役立つ。試験用移動局によって発出される第２のパラメータは、端末手段に対してテストされるセルの捕捉を確認するのに役立つ。本発明に従うと、第１のパラメータは、以下の番号のうちの少なくとも１つを内含することができる：すなわち、テストすべきセルの番号、端末手段の電話呼出番号、端末手段を識別する予め定められた番号、及び前記第１の通信を識別する番号。又、第２のパラメータは、テストすべきセルの番号、端末手段を識別する予め定められた番号及び前記第１の通信を識別する番号という前記番号のうちの少なくとも１つを含んでいてよい。
【００１５】
第１のパラメータは、多周波符号で表されたディジットシーケンスの形で端末手段によって伝送され、第２のパラメータは、多周波符号で表されたディジットシーケンスの形で試験用移動局によって発出され得る。このとき、端末手段と試験用移動局の間の第１及び第２の通信が追従する経路をマークする送受信手段は、通信網の移動局との通信の対話段階中に通常伝送される音声信号のように、パラメータに対し透明である。
【００１６】
好ましくは、端末手段は、通信網の異なる位置決定ゾーン内で多くのセルを監視するような形で、切り換え型電話網を通して、固定通信手段に接続されている。しかしながら、端末手段は、例えば、対応する位置決定ゾーンのみを監視するように、通信網の唯一の交換局に接続することもできる。
【００１７】
この場合、端末手段は、セル型電気通信網内の予め定められたテストすべきセルについて、上述の前記段階を循環的に実施することができる。
【００１８】
本発明のその他の特徴及び利点は、対応する添付図面を参照しながら、本発明の複数の好ましい実施形態についての以下の記述を読むことによって、さらに明白になることだろう。
【００１９】
【発明の実施の形態】
制限的な意味のない一例として、図１では、ＥＴＳＩ（欧州電気通信規格協会）により定義づけされているデジタルセル型電気通信網ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）における主要なエンティティが参照されている。これらのエンティティは、セル型電気通信網ＧＳＭと切り換え型電話網ＲＴＣの間のインターフェイスを構成する併合用交換局ＭＳＣ（Ｍｏｂｉｌｅ  Ｓｅｒｖｉｃｅ  Ｓｗｉｔｃｈｉｎｇ  Ｃｅｎｔｅｒ）、基地局制御器ＢＳＣ（Ｂａｓｅ  Ｓｔａｔｉｏｎ  Ｃｏｎｔｒｏｌｌｅｒ）、及び複数の固定基地局ＢＴＳ（Ｂａｓｅ  Ｔｒａｎｓｃｅｉｖｅｒ  Ｓｔａｔｉｏｎ）である。一般に、各々の基地局は、セルと呼ばれる少なくとも１つのエリアに結びつけられており、このエリア内では、セル内に存在するどの移動局でも基地局の無線送受信機を介してＲＴＣ網と通信状態に入ることができる。
【００２０】
図１に例示されている移動局は、実際にはセル型電気通信網ＧＳＭ内に固定され例えばそれぞれテストすべきセルに結びつけられた基地局ＢＴＳの近くに置かれている、本発明に特定的な独立型試験用移動局である。
【００２１】
本発明に従ったセルの試験方法を使用するために、サーバーＳＥの形をした少なくとも１つの端末手段が、主無線電話局ＣＰＲＴの中に設置され、モデムＭＯＤによって、切り換え型電話網ＲＴＣに接続されている。実際には、このサーバーは、セル型電気通信網ＧＳＭの対応する数百のセルをテストするため、数百対の基地局ＢＴＳと試験用移動局ＴＭＳと循環的にリンクされている。
【００２２】
図２に概略的に示されている通り、本発明に特定的な試験用移動局ＴＭＳは、１つの通信処理ユニットの中に、既知の無線送受信手段、無線通信路選択手段、通報信号処理手段及び特にＧＳＭ網といったようなセル型電気通信網の従来の移動局内の音声信号の符号化及び復号手段を統合している。ユニット１内に内含された１台のプロセッサが、試験用移動局の中への入呼びとも呼ばれる着信についても又試験用移動局の出呼びとも呼ばれる発信についても、樹立、対話段階及び遮断といった通信の３段階を従来通りに処理する。特にユニット１は、テストすべきセル内でＴＭＳを初めて実際に作動開始させた後直ちに、そしてその後セルの割り当て変更に際して、ＧＳＭの推奨事項に従って従来通りかつ自動的に、ＧＳＭ網の交換局の中央データレジスタ及び位置決定ゾーンレジスタすなわちＨＬＲ（Ｈｏｍｅ  Ｌｏｃａｌ  Ｒｅｇｉｓｔｅｒ）及びＶＬＲ（Ｖｉｓｉｔｅｄ  Ｌｏｃａｔｉｏｎ  Ｒｅｇｉｓｔｅｒ）に対してＴＭＳ局の位置決定を通報する。
【００２３】
試験用移動局ＴＭＳは、同様に、サーバーＳＥにより要請された着信、次に本発明に従って試験用移動局により要請される発信を処理するために、図６Ｂ及び７Ｂに示されているステップＥＭ０〜ＥＭ１８を達成することを目的としたオトマート２をも含んで成る。
【００２４】
オトマート２はさらに、多周波ＤＴＭＦ（Ｄｕａｌ  Ｔｏｎｅ  Ｍｕｌｔｉ  Ｆｒｅｑｕｅｎｃｙ）で符号化及び復号するためのコーデック３を制御する。多周波符号は、従来、電話方式で利用される可聴周波数の通過帯域内には７つの周波数が含まれることから、３つのうちの１つの周波数と４つのうちの１つの周波数の組み合わせによって構成されている。電話のキーボードの０〜９の数字及び＊及び＃の記号の各々は、かくして、全く異なる１２のうちの２つの周波数の１つの組み合わせに結びつけられる。コーデック３の中に含まれる復号器は、ユニット１内に含まれたデジタル−アナログ変換器の出力端に接続される。コーデック３の中に含まれる符号器は、ユニット１の中に含まれるアナログ−デジタル変換器の入力端に接続されている。デジタル−アナログ変換器及びアナログ−デジタル変換器は、従来、スピーカーの受信路の入力端及び従来の移動局内のマイクロホン送信路の出力端を具現している。復号器は、オトマート２により処理すべきＤＴＭＦ符号で表された第１のパラメータの第１のシーケンスＳＱ１を復号するため、サーバーＳＥによって要請された第１の通信の対話段階の間、オトマート２によって活性化される。符号器は、サーバーＳＥに対してオトマート２により伝送すべき第２のパラメータの第２のシーケンスＳＱ２をＤＴＭＦ符号に符号化するため、第１の通信の正常な遮断の後に、試験用移動局ＴＭＳによって要請される第２の通信の対話段階中に、オトマート２によって活性化される。
【００２５】
図２に示されている試験用移動局ＴＭＳは任意には、正規化された出力ゲートＲＳ２３２及び、特にポータブル式マイクロコンピュータを用いてか又は切り換え型電話網を通して試験用移動局の中にすでに記録されたソフトウェアの機能性を修正するか或いはソフトウェアをダウンロードするためのダウンロード回路４に接続されたモデムを含んで成る。試験用移動局ＴＭＳは、実際には、結びつけられた基地局ＢＴＳのサイトにて利用できる４８Ｖの直流電圧の供給を受けている。試験用移動局は好ましくは、基地局ＢＴＳの或る種のサイト上に存在する擾乱電磁放射線からそれを保護するためのシールドでとり囲まれている。
【００２６】
図３の概略的ブロックダイヤグラムを参照すると、サーバーＳＥのソフトウェア要素は通信用オトマート６を中心として組織されている。
【００２７】
通信用オトマート６は、パラメータ表示回路７に接続されている。特に、この回路７は、サーバーＳＥを識別する２ケタの予め定められた番号ＮＳ及び１０ケタのサーバー電話呼出番号ＮＡＳならびに、本発明に特定的でサーバーにより監視された試験用移動局の各々と本発明の方法に従って循環的に通信するためのプログラムを内含している。例えば、サーバーは、プログラミングされた時間的範囲中自動的に、或いは手動式で数百の基地局ＢＴＳを監視し、切り換え式電話網ＲＴＣを通して８つの同時通信を樹立することができる。
【００２８】
サーバーＳＥは、セル管理機構（マネージャー）９により制御されるテストすべきセルのデータベースをも含んでいる。テストすべき各々のセルについて、以下の情報がセル８のデータベース内に特に記録され、互いに独立して修正可能である：
−  セルの番号ＮＣ、
−  セルの名称、
−  実施すべき試験番号ＮＴ、
−  テストすべきセル内に含まれる試験用移動局ＴＭＳに向かってサーバーＳＥによって伝送されるべき通信オーダー番号ＮＯを構成するようサーバー番号ＮＳを伴って内含すべき０〜２５５の間の３ディジットの通信シーケンス番号、
−  サーバーからの発通信のためのデータベース８中に常時記憶されている試験用移動局の電話呼出番号、
−  実行中の試験の反復現行値、及び
−  テストすべきセルに関する本発明に従った試験方法の複数の連続サイクルの間にサーバーによって検出された６つの予め定められたトラブルＩ１〜Ｉ６の累加数。
【００２９】
トラブル管理機構１０は、サーバーによって循環的にテストされた異なるセルについてトラブルＩ１〜Ｉ６を処理し、トラブルファイルの中にこれらを記入し、ここでこれらのトラブルは、セルをテストするため自動でも手動でもよいオトマート６の選択された作動モードに応じて分類され得る。各々のトラブルに対して、ファイル１１内に、そのトラブルの日付と時刻、トラブルの原因、対応するセルの番号と名称、試験用移動局の電話呼出番号及び、トラブルが途中で発生した通信のシーケンス番号ＳＣと通信タイプ、すなわちサーバーから試験用移動局に向かってか又は試験用移動局からサーバーに向かって、が記入される。
【００３０】
警報管理機構１２は、通信用オトマート６に接続されている。１つのセル内の予め定められたトラブルについて、このトラブルの累加が予め定められた期間中に予め定められた数を上回った場合に、警報が発せられる。適切な伝送手段１３を横切って、全国通信網監視センターＣＮＳＲ（図１）の中に設置され例えばＸ２５タイプのパケット通信網を通しての６４ｋｂｉｔ／秒でのリンクによりサーバーに接続されている監視局に向かって、警報管理機構１２により警報信号が伝送され得る。監視局は、予め定められたテリトリー上に分布した本発明に従った複数のサーバーＳＥの監視を確実に行う。警報管理機構１２は、監視局により警報に関連するデータを読み取るべく、各セルについて各々の警報を記憶する警報データベース１４に結びつけられ、トラブルに付随する情報と同じ性質の様々な情報と共に警報を徐々に記憶する警報ファイル１５に結びつけられている。
【００３１】
サーバーＳＥ内では、事象ファイル１６が、特に、テスト中のセルのリスト、タイプ別のトラブルの累加、タイプ別の警報の累加及び、発信又は着信といった通信タイプ及び通信中のエラーの出現回数に応じて列挙された通信エラーの数を内含している。サーバーの自動モードでは、事象ファイル１６は、セルのそれぞれの試験及び予め定められた試験サイクル数に関して、予め定められた時間範囲の間、セル８のデータベース内で選択されたテスト中のセルについて、徐々に更新される。サーバーの手動モードでは、そのセルについて規定されているだけの回数反復すべき特定の試験について、テストすべきセルが選択される。このセル試験について、事象ファイル１６は、セルの呼称の特徴、トラブル及び警報の累加、ならびに通信エラー数を含んでいる。
【００３２】
サーバーＳＥは、同様に、それが割り当てられた交換局ＭＳＣと通信するため、及び交換局ＭＳＣに結びつけられた位置決定ゾーン内にある試験用移動局ＴＭＳとＤＴＭＦ符号で表されたパラメータシーケンスを交換するため、モデムＭＯＤに結びつけられたＤＴＭＦ符号用のコーデック１７をも含んで成る。
【００３３】
サーバーＳＥ及び試験用移動局ＴＭＳによって伝送されるシーケンスは、電話のキーボードの＃のキーに対応するパラメータ区切り記号によって限定される。２つのパラメータ区切り記号が１つのシーケンスの内部で各パラメータを囲んでいる。各パラメータは、ディジットつまりＤＴＭＦ符号に従ってそれぞれの２つのシーケンスの組み合わせの形で符号化された０〜９までの数字から成る。
【００３４】
図４に示されているように、本発明に従った第１の通信の対話段階中にサーバーＳＥにより試験用移動局ＴＭＳに向かって伝送すべきＤＴＭＦ符号で表わされた第１のシーケンスＳＱ１には、その最初ＤＥ１と最後ＦＩ１をマークする２対のパラメータ区切り記号を含めてＮＢ１＝２９のディジットを含む。シーケンスＳＱ１内には４つのパラメータが内含されている。
【００３５】
第１のパラメータは、試験用移動局によって取るべきテスト中のセルの数ＮＣに等しく、シーケンス開始の２つのパラメータ区切り記号ＤＥ１と第１のパラメータ区切り記号ＤＰ１の間の連続した５つのディジットＤ１〜Ｄ５から成る。第２のパラメータは、サーバーＳＥの電話呼出番号ＮＡＳに等しく、第１のパラメータ区切り記号ＤＰ１と第２のパラメータ区切り記号ＤＰ２の間の連続する１０個のディジットＤ６〜Ｄ１５から成る。第３のパラメータは、実施すべき試験の番号ＮＴに等しく、第２のパラメータ区切り記号ＤＰ２と第３のパラメータ区切り記号ＤＰ３の間にある２つのディジットＤ１６とＤ１７から成る。第４のパラメータは、第３のパラメータ区切り記号ＤＰ３とシーケンスＳＱ１の終わりをマークする２つのパラメータ区切り記号ＦＩ１の間にある５つのディジットＤ１８〜Ｄ２２をもつ通信端末オーダー番号Ｎ０に等しい。通信オーダー番号Ｎ０は、サーバーＳＥの識別番号ＮＳに対応する２つの最初のディジットＤ１８及びＤ１９及び、通信シーケンス番号ＳＣに対応するその他の３つのディジットＤ２０、Ｄ２１及びＤ２２で構成されている。番号ＳＣは、一定の与えられた試験用移動局及び一定の与えられた試験についてサーバーによって要請された、樹立された又はされない各々の発信において１ずつ増分される。
【００３６】
試験用移動局ＴＭＳによって本発明に従った第２の通信の対話段階中にサーバーＳＥに向かって伝送すべきＤＴＭＦ符号で表わされた第２のシーケンスＳＱ２が、図５に示されている。このシーケンスは、その最初ＤＥ２と終わりＦＩ２をマークする２つのパラメータ区切り記号対を含めて、ＮＢ２＝１５のディジットで構成されている。シーケンスＳＱは２つのパラメータを含む。５つのディジットｄ１〜ｄ５をもつ最初のパラメータは、試験用移動局によって取られ第１の先行シーケンスＳＱ１の中でこの移動局によって検出すべきセルの番号ＮＣに等しい。中央パラメータ区切り記号ＤＣの後、シーケンスＳＱ２の中の第２のパラメータは、５つのディジットｄ１８〜ｄ２２で構成され、先行する第１のシーケンスＳＱ１の終わりで試験用移動局によって検出すべき通信オーダー番号Ｎ０に等しい。
【００３７】
本発明に従うと、サーバーＳＥにより予め定められたセルの良好な作動を確認するため、試験方法には２つの通信が含まれている。第１の通信は、サーバーＳＥによって要請され、サーバーにとっての発信そして予め定められたセルに結びつけられた試験用移動局ＴＭＳにとっての入呼びとも呼ばれる着信を構成する。次に、第１の通信が適切に樹立され、第１のパラメータが適切に伝送され、第１の通信が適切に解放された場合、試験用移動局ＴＭＳは、第１のパラメータによって規定されたテストすべきセルを通して、試験用移動局にとっての出呼びと呼ばれる発信そしてサーバーにとっての着信を構成する第２の通信を要請する。第２のパラメータが、第２の通信の対話段階の間に、移動局ＴＭＳによって伝送される。試験用移動局が第２の通信を樹立しなくてはならないテストすべきセルは、先験的に必ずしも、第１の通信が樹立される通信網のセルであるとは限らない。
【００３８】
第１及び第２の連続した通信が何のトラブルもなく適切に維持すると、それが、テストされたセルの良い作動状態を表わす。
【００３９】
第１の通信は、図６Ａに示されたサーバーＳＥの作動ステップＥＳ０〜ＥＳ９及び図６Ｂに示された試験用移動局ＴＭＳの作動ステップＥＭ０〜ＥＭ１０によって例示されている。
【００４０】
初期ステップＥＳ０及びＥＭ０において、サーバー及び試験用移動局は休止位置つまり何らかの通信の樹立を待機する状態にあり、以下で規定するタイムアウトがゼロに維持されている。
【００４１】
最初の通信は、ステップＥＳ１及びＥＭ１でのその樹立から始まる。第１の通信の樹立は、併合用交換局ＭＳＣを通してセル型電気通信網ＧＳＭの通信樹立プロトコルに従って交換される最初の通報メッセージから成り、このときサーバーＳＥは、切り換え式電話網ＲＴＣにおける発呼端末とみなされる。最初のプロトコル通報メッセージの交換中、サーバーは最初の通信の樹立の終わりをステップＥＳ２において待機する。第１の通信の対話段階は、交換局ＭＳＣに向かっての「接続」メッセージを発して自動通信路の捕捉を確認し、試験用移動局内の自動的受話器外しをシミュレートすることによって、ステップＥＳ３で試験用移動局が通信を受諾した時点で、開始する。試験用移動局ＴＭＳは、ステップＥＭ２で第１のタイムアウトｔｍ１をセットし、サーバーは、交換局ＭＳＣから「確認」信号を受理した後、ステップＥＳ４でＤＴＭＦ符号で表された第１のシーケンスＳＱ１を生成し伝送する。
【００４２】
何らかの理由でステップＥＳ３で最初の通信が樹立され得ない場合、ステップＥＳ３０においてこの通信はサーバーＳＥにより拒絶され、オトマート６はステップＥＳ３１で事象ファイル１６内にテストされたセルについての第１のトラブルＩ１を記入する。第１のトラブルＩ１は、第１の通信の間に、併合用交換局ＭＳＣと試験用移動局ＴＭＳの間、より厳密には交換局ＭＳＣと制御器ＢＳＣの間、又は制御器ＢＳＣと基地局ＢＴＳの間、又は基地局ＢＴＳと試験用移動局ＴＭＳの間で伝送される通報メッセージの伝送が不適正又は不完全なものであることの結果としてもたらされる可能性がある。
【００４３】
第１のシーケンスＳＱ１の伝送の後、サーバーＳＥは、試験用移動局による第１の通信の遮断を待機する状態で、値ＴＳ１を超えることができない第１のタイムアウトｔｓ１をセットする。タイムアウトｔｓ１の開始時点で、試験用移動局は、ステップＥＭ３でＤＴＭＦ符号で表わされた第１のシーケンスＳＱ１を待機する状態にある。以下で規定されるように正しい又は正しくない第１のシーケンスがタイムアウトｔｍ１の満了時点ＴＭ１で試験用移動局によって受理されない場合、試験用移動局は、ステップＥＭ４０で第１の通信を遮断し、最初のステップＥＭ０に戻る。
【００４４】
ステップＥＭ４でのタイムアウトｔｍ１の満了ＴＭ１の前に、試験用移動局がステップＥＭ５において正しい又は正しくない第１のシーケンスＳＱ１を受理した場合、試験用移動局はステップＥＭ６で第１のシーケンスＳＱ１を検査する。第１のシーケンスは、特に５つのディジットＤ１〜Ｄ５がテスト中のセルの番号ＮＣと異なっているか正しくない場合、又は３つのディジットをもつ通信シーケンス番号ＳＣが例えば１つの同じ試験について以前に受理された第１のシーケンス内に含まれたものよりも小さい場合、又はパラメータ区切り記号がないか又は誤って置かれている場合又は、受理された第１のシーケンス中のディジットの数がＮＢ１と異なる場合に、正しくないとみなされる。
【００４５】
受理されたシーケンスＳＱ１が正しくないとみなされた場合、試験用移動局ＴＭＳはステップＥＭ６０で第１の通信を遮断し、最初のステップＥＭ０に戻る。
【００４６】
ＤＴＭＦ符号で表わされた第１のシーケンスＳＱ１が正しいとみなされた場合、試験用移動局はステップＥＭ７で第２のタイムアウトｔｍ２をセットする。特に、サーバーの電話呼出番号ＮＡＳ及び受理されたシーケンスＳＱ１内に含まれた試験番号ＮＴは、通信処理ユニット１を介して第２の通信の始めにサーバーを呼び出すため及び番号ＮＣにより示されたテスト中のセルに関して試験用移動局内で特別な試験を行うために、オトマート２の後に立つ。
【００４７】
図６Ａの下半分に示されているように、サーバーＳＥは、通常、試験用移動局ＴＭＳがステップＥＭ３〜ＥＭ６で第１のシーケンスＳＱ１を受理しこれを検査している間、ステップＥＳ６で第１の通信の遮断を待機する状態にある。次のステップＥＳ７及びＥＳ８で、サーバーが、第１の通信がタイムアウトｔｓ１の満了ＴＳ１前に試験用移動局により遮断されていないことを確認した場合、サーバーのオトマート６は、ステップＥＳ７０でファイル１６内に第１の通信のトラブルＩ２を記入し、ステップＥＳ７１で第１の通信を遮断し、ステップＥＳ０でその初期状態に戻る。
【００４８】
サーバーは、ステップＥＳ７及びＥＳ８で第１のタイムアウトｔｓ１の満了ＴＳ１の前に第１の通信が遮断されたことを確認したならば、ステップＥＳ１０での着信を待機する状態で、ステップＥＳ９で第２のタイムアウトｔｓ２をセットする。ステップＥＳ８で通報された遮断は、通常、ステップＥＭ８及びＥＭ９での試験用移動局内でのタイムアウトｔｍ２の満了ＴＭ２、そして次にステップＥＭ１０における試験用移動局からのプロトコルＧＳＭに従った第１の通信の遮断要請の結果としてもたらされる。時間ＴＭ２はおよそ２０秒であり、１回の試験を行うのに必要である。時間ＴＳ１はＴＭ２よりも長いが、シーケンスＳＱ１の検査及び試験用移動局ＴＭＳ内での試験の実施に必要なものである。
【００４９】
ステップＥＭ１０の後、試験用移動局は、図７Ａに示されているサーバーの作動ステップＥＳ１０〜ＥＳ２２と対応させて図７Ｂに示されている作動ステップＥＭ１１〜ＥＭ１８に従って、第２の通信の樹立に直ちにかつ自動的に着手する。
【００５０】
ステップＥＭ１１における第２の通信の樹立は、第１の通信の樹立と類似した要領で、併合用交換局ＭＳＣを通して、セル型電気通信網ＧＳＭの樹立プロトコルに従って第２の通報メッセージの交換により行われる。試験用移動局ＴＭＳは、ＲＴＣ網における発呼端末とみなされ、サーバーは被呼端末とみなされる。受理された第１のシーケンスＳＱ１内に含まれたセル番号ＮＣは、試験用移動局によりテストすべきセルを選択するのに役立つ。受理された第１のシーケンスＳＱ１内に含まれた電話呼出番号ＮＡＳは、試験用移動局ＴＭＳ内でサーバーを呼び出すのに役立つ。テスト中のセルを横断してのステップ１２及びステップ１０における第２のプロトコル通報メッセージの交換の間、試験用移動局は、サーバーの自動的受話器外しをシミュレートする交換局ＭＳＣの「接続」信号の受理を待ち、その後、サーバーは交換局ＭＳＣの「確認」信号を待ち、こうして第２の通信の受諾が確認される。
【００５１】
ステップＥＭ１３において、試験用移動局と基地局ＢＳ、制御器ＢＳＣ又は交換局ＭＳＣといったサーバーとの間の伝送回線のいずれか１つの手段によって通信が受諾されない場合、試験用移動局は、ステップＥＭ１３０で第２の通信を停止させ、ステップＥＭ０でその初期状態に戻る。
【００５２】
ステップＥＳ１１及びＥＳ１２で第２のタイムアウトｔｓ２の満了ＴＳ２の前に第２の通信のいかなる確認も受理しなかった場合、サーバーＳＥは、ステップＥＳ１１０でファイル１６内に第３のトラブルＩ３を記入し、ステップＥＳ０でその初期状態に戻る。トラブルＩ３は、ステップＥＭ１３０での試験用移動局による第２の通信の樹立が早めに停止されたことの結果としてひき起こされる可能性もあるし、同様に、第２の通信を樹立しようとする試みを全く行うことなくステップＥＳ７及びＥＳ８でのタイミングｔｓ１の満了ＴＳ１の前にステップＥＭ４０及びＥＭ６０で第１の通信が遮断されたことの結果としてひき起こされる可能性もある。
【００５３】
サーバーＳＥは、ステップＥＳ１１及びＥＳ１２で試験用移動局によって要請された第２の通信を受諾した場合、ステップＥＳ１３で第３のタイムアウトｔｓ３をセットし、試験用移動局はステップＥＭ１４でＤＴＭＦ符号で表わされた第２のシーケンスＳＱ２を生成、発出し、次にステップＥＭ１５で第３のタイムアウトｔｍ３をセットし、ステップ１６で第２の通信の遮断を待機する。第２のシーケンスＳＱ２は、第１のシーケンスＳＱ１の受理後に以前に記憶されたパラメータＮＣ及びＮＯを含む。
【００５４】
このとき、サーバーはステップＥＳ１４で第２のシーケンスＳＱ２の受理待機状態にあり、試験用移動局はステップＥＭ１６でタイムアウトｔｍ３の満了ＴＭ３の前の第２の通信の正常な遮断を待機する状態にある。
【００５５】
ステップＥＳ１５の第３のタイムアウトｔｓ３の満了ＴＳ３時にサーバーがＤＴＭＦ符号で表わされた第２のシーケンスＳＱ２を全く受けなかった場合、オトマート６はステップＥＳ１５０でファイル１６に第４のトラブルＩ４を通報し、ステップＥＳ１５１で第２の通信を早めに遮断し、ステップＥＳ０でその初期状態に戻る。
【００５６】
ステップＥＳ１５及びＥＳ１６で、サーバーＳＥが、第３のタイムアウトｔｓ３の満了ＴＳ３の前に以下で規定するとおり正しい又は正しくないＤＴＭＦ符号で表わされた第２のシーケンスＳＱ２を受理した場合、サーバーは、次のステップＥＳ１７及びＥＳ１８で第２のシーケンスＳＱ２を検査する。第２の通信の対話段階の間の第２のシーケンスＳＱ２の検査は、ステップＥＭ６での試験用移動局による第１のシーケンスＳＱ１の検査に類似した基準に基づくものである。
【００５７】
ステップＥＳ１７では、ＤＴＭＦ符号で表わされた第２のシーケンスＳＱ２は、例えば２つのパラメータＮＣ及びＳＣの間のパラメータ区切り記号がない場合、又は第２のシーケンスＳＱ２のディジットの数が数字ＮＢ２と異なっている場合に、正しくないとみなされる。この場合、事象ファイル１６はステップＥＳ１７０で第５のトラブルＩ５を記録し、次にステップＥＳ１７１で第２の通信を遮断し、ステップＥＳ０でその初期状態に戻る。
【００５８】
第２のシーケンスＳＱ２がステップＥＳ１７で正しいとみなされた場合、サーバーはステップＥＳ１８で受理されたシーケンスＳＱ２の中に含まれているパラメータＮＣ及びＮＯ（ＮＳ、ＳＣ）を検査する。シーケンスＳＱ２中のセルの番号がテスト中のセルの番号ＮＣ、特に以前に伝送された第１のシーケンスＳＱ１の中に含まれていた番号と異なる場合、サーバーは、ステップＥＳ１８０で第６のトラブルＩ６を通知する。同様に、第２のパラメータ、すなわち第２のシーケンスＳＱ２の中に含まれた５つのディジット［ｄ１８〜ｄ２２］をもつ通信オーダー番号ＮＯが正しくない場合、例えば２つのディジット［ｄ１８、ｄ１９］をもつサーバー番号がサーバーの識別番号ＮＳと異なるか、又は３つのディジット［ｄ１０、ｄ２１、ｄ２２］をもつ通信シーケンスＳＥがステップＥＳ６で第１の通信の間にサーバーによって伝送されるもの［Ｄ２０、Ｄ２１、Ｄ２２］と異なっている場合、オトマート６により第６のトラブルＩ６もファイル１６に通報され得る。第６のトラブルＩ６について通知した後、サーバーはステップＥＳ１８１で第２の通信を遮断し、ステップＥＳ０でその初期状態に戻る。
【００５９】
サーバーＳＥは、受理した第２のシーケンスＳＱ２が正しく同じく正しいパラメータを含んでいることを確認した後、ステップＥＳ１９で第４のタイムアウトｔｓ４をセットする。次に、サーバーは、ステップＥＳ２０でサーバー又は試験用移動局によって開始され得る第２の通信の遮断を待機する。
【００６０】
図７Ａ及び７Ｂの下部に示されているように、サーバーが第２の通信をまず遮断しなければならないということが想定される。タイムアウトｔｍ３の最大持続時間ＴＭ３は、タイムアウトｔｓ４の最大持続時間ＴＳ４よりも長く、サーバーが受理されたシーケンスＳＱ２を検査できるようにするために充分な長さをもつ。
【００６１】
かくして、通常第４のタイムアウトｔｓ４は、ステップＥＳ２１において、試験用移動局内のステップＥＭ１７でのタイムアウトｔｍ３の満了ＴＭ３の前に満了する。タイムアウトｔｓ４がその限界ＴＳ４に達した時点で、サーバーＳＥは通常ステップＥＳ２２で第２の通信を遮断し、ステップＥＳ０でその初期状態に戻る。この解放は、プロトコル通報メッセージの交換によって試験用移動局で確認され、そのためステップＥＭ１８における試験用移動局内での第２の通信の遮断及びステップＥＭ０における試験用移動局の初期状態への復帰が指令される。試験用移動局内で第３のタイムアウトｔｍ３がその限界ＴＭ３に達した場合、サーバーによる第２の通信の遮断の確認を受理する前に、試験用移動局はステップＥＭ１７０で第２の通信を遮断し、ステップＥＭ０でその初期状態に戻る。
【００６２】
サーバーＳＥがステップＥＳ０〜ＥＳ２２を全て連続的に完了し、試験用移動局ＴＭＳが全てのステップＥＭ０〜ＥＭ１８を連続的に終了した場合、すなわち、本発明に従った第１及び第２の通信の間でいかなるトラブルも通報されない場合、サーバーのオトマート６はテスト中のセルつまりテスト中のセルに付随する電子手段の良好な作動を確認することしかできない。
【図面の簡単な説明】
【図１】サーバーと呼ばれている端末手段及び本発明に従った試験方法の利用のための複数の試験用移動局が中に設置されている既知のセル型電気通信網のブロックダイヤグラムである。
【図２】試験用移動局の概略的ブロックダイヤグラムである。
【図３】サーバーの概略的ブロックダイヤグラムである。
【図４】第１の通信の間サーバーにより伝送される多周波符号で表わされた第１のパラメータシーケンスを示す。
【図５】第２の通信の間試験用移動局によって伝送される多周波符号で表わされた第２のパラメータの第２のシーケンスを示す。
【図６Ａ】第１の通信の間のサーバーの作動ステップアルゴリズムである。
【図６Ｂ】第１の通信の間の試験用移動局の作動ステップアルゴリズムである。
【図７Ａ】第２の通信の間のサーバーの作動ステップアルゴリズムである。
【図７Ｂ】第２の通信の間の試験用移動局の作動ステップアルゴリズムである。
【符号の説明】
ＢＴＳ  基地局
ＭＳＣ  交換局
ＴＭＳ  試験用移動局
ＳＥ  端末手段（サーバー）
ＢＳＣ  制御器
１  通信処理ユニット
２  オトマート
３  ＤＴＭＦコーデック
４  ダウンロード回路
６  通信用オトマート
９  セル管理機構
１０  トラブル管理機構
１１  トラブルファイル
１２  警報管理機構
１４  警報ベース
１５  警報ファイル
１６  事象ファイル
【図１】
0003721670.tif 000002
【図２】
0003721670.tif 000003
【図３】
0003721670.tif 000004
【図４】
0003721670.tif 000005
【図５】
0003721670.tif 000006
【図６Ａ】
0003721670.tif 000007
【図６Ｂ】
0003721670.tif 000008
【図７Ａ】
0003721670.tif 000009
【図７Ｂ】
0003721670.tif 000010